(57)【要約】【課題】外部に漏れる粉砕音を確実に低減できる枝葉木粉砕機を提供すること。  【解決手段】枝葉木粉砕機において、投入された枝葉木を粉砕する粉砕機本体５に、粉砕された粉砕片を排出するシュータ６０を設け、このシュータ６０の内面に吸音材６３を貼設した。従って、投入ホッパなどに防音機構を設けるほどの場積を確保できない場合でも、シュータ６０に吸音材６３を設けることで、シュータ６０の排出用の開口部６２から漏れる粉砕音を確実に軽減でき、低騒音化を実現できる。また、吸音性能を有するシート状部材６４にてシュータ６０内を遮蔽することで、低騒音化を一層促進できる。【選択図】図４
2007175676.tif 000002
【特許請求の範囲】
【請求項１】
投入された枝葉木を粉砕する粉砕機本体を備えているとともに、
この粉砕機本体には、粉砕された粉砕片を排出するシュータが設けられ、
このシュータの内面には吸音材が設けられている
ことを特徴とする枝葉木粉砕機。
【請求項２】
請求項１に係る枝葉木粉砕機において、
前記シュータ内には、吸音性能を有するシート状部材が当該シュータ内の内部空間を遮るように設けられている
ことを特徴とする枝葉木粉砕機。
【発明の詳細な説明】
【技術分野】
【０００１】
本発明は、枝葉木粉砕機に関する。
【背景技術】
【０００２】
従来、剪定した樹木の枝葉木を粉砕処理する枝葉木粉砕機が知られている（例えば特許文献１）。このような枝葉木粉砕機の中でも、特に果樹園等で用いられる小型のタイプでは、クローラ式の下部走行体の上部に、エンジンルーム、およびエンジンルーム内のエンジンで駆動される粉砕機本体を備えた簡易のものが主流であり、粉砕機本体は、枝葉木を投入する投入ホッパ、投入ホッパからの枝葉木を粉砕する粉砕刃、粉砕刃で粉砕された粉砕片を排出するシュータ等を備えて構成されている。
【０００３】
【特許文献１】特開２００５−８８３６９号公報
【発明の開示】
【発明が解決しようとする課題】
【０００４】
ところで、そのような小型の枝葉木粉砕機は、果樹園の他、住宅地内の公園整備のためにも多用されるため、近隣への騒音対策が必要である。すなわち、従来の中型機クラスの枝葉木粉砕機では、投入ホッパなどに特別な構造の防音機構が設けられていたが、小型の場合には、そのような防音機構自体が複雑で場積をとるため、適用が困難であり、その解決手段が望まれていた。
【０００５】
本発明の目的は、外部に漏れる粉砕音を確実に低減できる枝葉木粉砕機を提供することにある。
【課題を解決するための手段】
【０００６】
本発明の請求項１に係る枝葉木粉砕機は、投入された枝葉木を粉砕する粉砕機本体を備えているとともに、この粉砕機本体には、粉砕された粉砕片を排出するシュータが設けられ、このシュータの内面には吸音材が設けられていることを特徴とする。
【０００７】
本発明の請求項２に係る枝葉木粉砕機は、請求項１に係る枝葉木粉砕機において、前記シュータ内には、吸音性能を有するシート状部材が当該シュータ内の内部空間を遮るように設けられていることを特徴とする。
【発明の効果】
【０００８】
以上において、請求項１の発明によれば、投入ホッパなどに防音機構を設けるほどの場積を確保できない場合でも、粉砕片を排出するシュータに吸音材を設けることで、シュータの排出用の開口部から漏れる粉砕音を確実に軽減でき、低騒音化を実現できる。
【０００９】
請求項２の発明によれば、シュータ内の内部空間をシート状部材で遮るので、破砕音を外部に一層漏れにくくできるうえ、このうなシート状部材を吸音材の上流側に設けることにより、シート状部材を吸音材の保護部材として機能させることができ、吸音材に粉砕片が直接当たるのを防止して吸音材の損傷を防止できる。
【発明を実施するための最良の形態】
【００１０】
以下、本発明の一実施形態を図面に基づいて説明する。
図１は、本実施形態に係る枝葉木粉砕機１を斜め上方から示す全体斜視図、図２は、枝葉木粉砕機１の側面図である。
図１、図２において、枝葉木粉砕機１は、クローラ式の下部走行体２と、下部走行体２上に配置されたエンジンルーム３と、エンジンルーム３の後方側（図中の右側）に配置された操作レバーユニット４と、エンジンルーム３の右前方（図中の左側）に配置された粉砕機本体５とを備えている。
【００１１】
下部走行体２は、エンジンルーム３内のエンジン３１でベルト駆動されるプーリ２１を備え、プーリ２１の回転がトランスミッションを介して左右のスプロケット２２に伝達され、このスプロケット２２、前方のアイドラー２３、およびスプロケット２２近傍のキャリアローラ２４に巻回されたクローラ２５が回転する。また、これらのプーリ２１、トランスミッション、アイドラー２３、キャリアローラ２４等は、平面枠状に組まれた金属製の下部フレーム２６に取り付けられている。
【００１２】
エンジンルーム３は、内部に配置されたエンジン３１を覆う金属製のカバー等で構成されており、側方および上方にエンジン３１メンテナンス用のハッチ３２を備えている。エンジン３１の出力軸３３は、粉砕機本体５との間の隙間に突出し、この出力軸３３には複数の溝を有するプーリ３４が設けられている。プーリ３４の一つの溝と前記下部走行体２のプーリ２１とにはベルト３５が巻回され、前述したようにエンジン３１の動力が伝達される。また、プーリ３４の他の溝と粉砕機本体５に設けられたプーリ５１とに巻回されたベルト３６により、エンジン３１の動力が粉砕機本体５に伝達される。
【００１３】
操作レバーユニット４は複数の操作レバー４１を備えている。操作レバー４１としては、下部走行体２のトランスミッションの切替操作により、前進、後退、その場旋回を行う走行レバー、粉砕機本体５への動力伝達・遮断を行う図示しない破砕クラッチ操作用のクラッチレバー、および下部走行体２の不意な後退を止めるバックストップレバー等が設けられている。
【００１４】
図３は、粉砕機本体５の要部を示す側断面図である。
図３において、粉砕機本体５は、金属板からなる箱状の粉砕機フレーム５２を備えている。粉砕機フレーム５２の後方側には、剪定された枝葉木を投入する投入ホッパ５３が設けられ、粉砕機フレーム５２の内部には、投入された枝葉木を粉砕する回転ロータ５４が搭載され、粉砕機フレーム５２の前方側には、回転ロータ５４と固定刃５５とによて粉砕された粉砕片を下方に排出して地上等に堆積させるシュータ６０が設けられている。
【００１５】
その他、粉砕機本体５には、投入ホッパ５３に投入された枝葉木を回転ロータ５４側に引き込む引込ローラ５６等が設けられている。この引込ローラ５６には、スプロケットおよびチェーンを介して回転ロータ５４の回転が伝達されるのであるが、その回転伝達機構については本発明に直接関係ないため、ここでの詳細な説明を省略する。以下には、本発明の最も特徴的な構成を有したシュータ６０について詳説する。
【００１６】
図４に示すように、シュータ６０は、下方に向かって湾曲した前面部６１と、左右の側面部６２とによりダクト状に形成され、下方に開口した矩形状の開口部６２を有している。粉砕片は、粉砕機本体５の内部に設けられたメッシュ状のスクリーンプレート５７を通してはき出された後、案内プレート５８上を滑り落ちて開口部６２から排出される。
【００１７】
このようなシュータ６０の内部において、前面部６１の裏面側には、湾曲した部位近辺の所定領域を覆うように吸音材６３が貼設されている。吸音材６３としては、厚手のゴム製のシート状部材や、発泡ウレタン樹脂等のスポンジ状部材が好適に用いられる。このような吸音材６３を用いることにより、回転ロータ５４側で生じる粉砕音が吸収され、シュータ６０の開口部６２から外部に漏れる粉砕音を軽減でき、底騒音化を実現できる。
【００１８】
さらに、前面部６１の裏面側において、吸音材６３の上流側には、薄手のゴム製などからなる吸音性能を有したシート状部材６４が取付片６５にボルト止めされた状態で吊設されている。このシート状部材６４は、断面四角形のシュータ６０内空間を遮る大きさであり、四角形状またはスリットを有する暖簾形状とされている。そして、粉砕片がシート状部材６４に直接当たることで、金属製のシュータ６０内面に直接当たる場合に比して当接音を小さくできるとともに、回転ロータ５４側で生じた粉砕音を良好に吸収し、開口部６２から漏れるのを軽減できるる。また、シート状部材６４により、吸音材６３に直接粉砕片が当たるのを防止できるため、シート状部材６４は吸音材６３の保護部材としても機能する。
【００１９】
加えて、このシート状部材６４は、図４に描かれている通り、所定量の粉砕片をシュータ６０内に留めておく機能をも有する。所定量を超えると、蓄積された粉砕片の重量によりシート状部材６４が湾曲し、粉砕片は一気に排出されるか、あるいは一定量を維持しながら徐々に排出される。このことによれば、シュータ６０内は、この粉砕片とシート状部材６４とによって常時が略完全に遮蔽されることになるため、回転ロータ５４側での粉砕音は開口部６２に一層到達し難くでき、開口部６２から外部に漏れ出す粉砕音を大幅に軽減することが可能である。
【００２０】
なお、本発明は、前記実施形態に限定されるものではなく、本発明の目的を達成できる他の構成等を含み、以下に示すような変形等も本発明に含まれる。
例えば、前記実施形態では、シュータ６０内にシート状部材６４が吊設されていたが、このようなシート状部材６４が設けられていない場合でも、前述した請求項１の発明に含まれる。
【００２１】
また、シート状部材６４が設けられる場合でも、シート状部材６４と吸音材６３との位置関係は任意であり、図４に示した位置関係に限定されない。
【００２２】
さらに、吸音材６３は前面部６１の裏面側にのみ貼設される場合の他、側面部６２などにも貼設されていてよく、いずれの領域に貼設されるかは、シュータ６０の形状や、目標とする騒音レベル等を勘案して任意に決められてよい。
【産業上の利用可能性】
【００２３】
本発明は、粉砕片を排出するシュータを備えた枝葉木粉砕機に利用でき、特に小型の枝葉木粉砕機に好適である。
【図面の簡単な説明】
【００２４】
【図１】本発明の一実施形態に係る枝葉木粉砕機を斜め上方から示す全体斜視図。
【図２】枝葉木粉砕機の側面図。
【図３】粉砕機本体の要部を示す側断面図。
【図４】シュータを示す側断面図。
【符号の説明】
【００２５】
１…枝葉木粉砕機、５…粉砕機本体、６０…シュータ、６３…吸音材、６４…シート状部材。
【図１】
2007175676.tif 000003
【図２】
2007175676.tif 000004
【図３】
2007175676.tif 000005
【図４】
2007175676.tif 000006